(57)【要約】　　　（修正有）【課題】山中の間伐材の回収作業が困難である。【解決手段】回収装置１０は、山の斜面１の上方に配されている搬入部１１と、搬入部１１に一体形成されている袋ユニット１２Ａと、この袋ユニット１２Ａの下部に連結されている他の１以上の袋ユニット１２Ｂと、この袋ユニット１２Ｂの下部に連結されている下部の袋ユニット１２Ｃと、この袋ユニット１２Ｃの下部に一体形成されて斜面１の下方の緩斜面に配されている搬出部１３とを備えている。間伐材２は搬入部１１から搬入される。従って、間伐材２は各袋ユニット内を滑落することになる。【選択図】　　　　図１
0003099367.tif 000002
【実用新案登録請求の範囲】
【請求項１】
山中の間伐材を回収するための装置であって、
山の斜面の上方に配されて前記間伐材が搬入される搬入口を有する搬入部と、前記搬入された間伐材を前記斜面に沿ってその下方まで滑落させる滑落部と、滑落した前記間伐材を搬出するための搬出口を有する搬出部と、少なくとも前記搬入部及び搬出部を支持する支持手段とを含むことを特徴とする間伐材の回収装置。
【請求項２】
前記滑落部は、前記斜面に上下方向に沿って配され、相互に連結される袋状布部材から成る複数の袋ユニットから成ることを特徴とする請求項１記載の間伐材の回収装置。
【請求項３】
前記袋ユニットは、内周に間伐材に滑りを付与する補強材が設けられていることを特徴とする請求項２記載の間伐材の回収装置。
【請求項４】
前記支持手段は、立木に着脱可能に装着される装着体と、該装着体に連結されて前記搬入部及び搬出部を支持する支持ロープとを有することを特徴とする請求項１記載の間伐材の回収装置。
【請求項５】
前記搬入口の近傍に配置されて前記斜面上の間伐材をロープを介して引き上げる牽引機を更に含むことを特徴とする請求項１記載の間伐材の回収装置。
【請求項６】
前記牽引機は鼓型ローダであることを特徴とする請求項５記載の間伐材の回収装置。
【考案の詳細な説明】
【０００１】
【考案の属する技術分野】
本考案は、山中の間伐材を回収するための装置に関し、特に間伐材を滑落させて回収する装置に関する。
【０００２】
【従来の技術】
最近では石油に代わるエネルギー資源が各種提案されているが、その一つとして間伐材が注目されている。
このような間伐材は、間伐作業の終了後、そのまま山中に放置され、自然に朽ちさせているのが現状である。
ところで、間伐材をエネルギー資源として活用するためには、その回収作業が必要となる。即ち、間伐材が林道等の作業道の近傍に放置されている場合には、人的又は機械的に拾い集めることでその回収を比較的簡単に行うことができる。
【０００３】
【考案が解決しようとする課題】
しかし、多くの間伐材は山中に存在するため、その搬出作業には熟練した多数の作業者を必要とし、従って、回収に多大な費用を要し、又特に急峻な斜面に放置されている間伐材を搬出するためには、間伐材が大きな重量を有することから作業者に多大な負担と危険を強いる欠点がある。
本考案は、山中の間伐材を簡単かつ作業性よく、しかも安全、安価に搬出することが可能な間伐材の回収装置を提供することを目的とする。
【０００４】
【課題を解決するための手段】
本考案はこのような課題を解決するため次のような構成を具備している。
即ち、本考案は、山の斜面の上方に配されて間伐材が搬入される搬入口を有する搬入部と、搬入された間伐材を斜面に沿って下方まで滑落させる滑落部と、滑落した間伐材を搬出するための搬出口を有する搬出部と、少なくとも搬入部及び搬出部を支持する支持手段とを含むことを特徴とする。
上記滑落部は、斜面に上下方向に沿って配され、相互に連結される袋状布部材から成る複数の袋ユニットから形成してもよい。
各袋ユニットに、間伐材に滑りを付与する補強材を設けてもよい。
また、本考案では、山中の立木に傷を付さないように装着される装着体と、装着体に連結されて搬入部等を支持する支持ロープとから支持手段を構成してもよい。
更に、搬入口の近傍に配置される鼓型ローダ等の牽引機を含んでもよく、この場合間伐材を引き上げるために利用する。
【０００５】
【考案の実施の形態】
以下、本考案の実施形態を図面を参照して説明する。
図６には本考案に係る回収装置の概略構成が示されている。
この回収装置１０は、山の斜面１の上方に配されている搬入部１１と、搬入部１１に一体形成されている袋ユニット１２Ａと、この袋ユニット１２Ａの下部に連結されている他の１以上の袋ユニット１２Ｂと、この袋ユニット１２Ｂの下部に連結されている下部の袋ユニット１２Ｃと、この袋ユニット１２Ｃの下部に一体形成されて斜面１の下方の緩斜面に配されている搬出部１３とを備えている。図７は回収すべき間伐材２を示し、この間伐材２は図６に示すように、搬入部１１から搬入される。従って、間伐材２は上記各袋ユニット内を滑落することになる。
【０００６】
図１は搬入部１１の平面図である。この搬入部１１は、ラッパ状に形成され、その開口から成る搬入口２０と、本体を支持する折り曲げ可能なポリエステル繊維の編組体から成る支持ベルト２１と、各支持ベルト２１の先端に設けられている連結リング２２と、斜面上を伸びて該斜面に適宜の手段で固定される開口保持部２３とを備えている。連結リング２２には支持ロープ３０の一端が連結され、各支持ロープ３０の他端は後述する支持手段５０に連結される。
尚、搬入部１１の天布１１ａには上部受布１１ｂが一体形成され、上部受布１１ｂは連結リング２２に連結されているロープ１１ｃにより張架されている。
【０００７】
搬入部１１には袋ユニット１２Ａが一体形成されている。
この袋ユニット１２は、図２に示すように天布２４の長手方向に沿った両端部に固定されている折り曲げ可能な上記編組体から成る支持ベルト２５と、これら支持ベルト２５，２５により支持されている袋布２６と、袋布２６の内周面に固定されている補強布２７とを有している。天布２４及び袋布２６は耐摩耗性、耐経年変化、耐強度の優れている、例えば、肉厚のポリエステルから形成されている。補強布２７は、例えば袋布２６と同一厚さを有し、滑材の混入されたポリエステルから形成されている。
この袋ユニット１２は、例えば２０〜５０ｍの長さ寸法を有し、支持ベルト２５に設けられる連結リング２８に連結されている支持ロープ３０及び支持手段５０により斜面上で支持される。
尚、他の袋ユニット１２Ｂ，１２Ｃも袋ユニット１２Ａと同一構造を有しているので、その説明を省略する。
【０００８】
図３は袋ユニットの相互の連結構成を示す斜視図である。即ち、この連結構造は、下方の袋ユニット１２Ｂの各支持ベルト２５端部に取り外し可能に取付けられたシャックル３１と、上方の袋ユニット１２Ａの各支持ベルト２５端部に設けられてシャックル３１に連結されている輪部２５ａと、下方の袋ユニット１２Ｂの袋布２６端部に一体形成されている補強連結材３２と、上方の袋ユニット１２Ａの袋布２６端部の内方に一体形成されている補強連結材３３と、両補強連結材３２，３３を相互に連結している通し紐３４とを備え、上方の袋ユニット１２Ａの袋布２６端部２６ａが下方の袋ユニット１２Ｂの袋布２６端部に挿入されている。
【０００９】
図４は上記搬出部１３の斜視図である。この搬出部１３は、袋ユニット１２Ｃの開口から成る搬出口３５と、袋ユニット１２Ｃの天布から一体的に下方に伸びる略台形状の受布３６と、受布３６の支持ベルト３７，３７の先端に止め輪を介して取付けられている滑車３８と、滑車３８に差掛けられている張設ロープ３９を牽引するための滑車４０と、この滑車４０を止め輪等を介して斜面近傍に保持する固定ブロック４１とを備えている。従って、受布３６の先端が斜面に接近するので、滑落してくる間伐材２が受布３６に当接してその位置で止まることになる。
【００１０】
次に、図５は、上記搬入部１１、各袋ユニット及び搬出部１３をそれぞれ支持ロープ３０により支持するための支持手段５０の斜視図である。
この支持手段は山中の適宜の立木３に巻き付けて取付けられる装着体５１を有している。この装着体５１は袋状に形成されて内部に粗毛フェルト材が緩衝材として充填され、立木３に巻き付けられてベロクロファスナ５２により固定されている。装着体５１の上下の外周面にはベルト５３，５３の挿通される挿通部５４，５４が設けられている。各ベルト５３の一端の輪部５３ａには他端側のベルト部分が通され、他端には支持ロープ３０の釣金具が係合される輪部５３ｂが設けられている。従って、間伐材２の滑落で支持ロープ３０に不規則な張力や揺動力が加わった場合には、ベルト５３，５３が装着体５１上で回動し、しかも粗毛フェルト材が衝撃力を吸収するので、立木３に局部的な力が加わることがなく、従って、立木３の樹皮を保護することができる。
尚、各袋ユニットは斜面から充分に離間する高さ位置で支持手段５０により支持される。
【００１１】
次に、本考案の回収装置の使用態様を説明する。
先ず、各袋ユニット１２Ａ，１２Ｂ，１２Ｃを折り畳み、支持手段５０、支持ロープ３０等をそれぞれ別体として現場まで自動車等により搬送する。
次に、２名〜３名の作業者により袋ユニット等を斜面上まで運び、袋ユニット１２Ａ，１２Ｂ及び１２Ｃの順で支持手段５０、支持ロープ３０により支持する等により、本考案の回収装置１０を組み立てる。尚、袋ユニットを２〜３ｍ間隔で支持ロープ３０により支持することが好ましく、これにより立木に加わる張力を小さくすることが可能となる。
そして、作業者が間伐材２を斜面上の搬入部１１に、図６に示すように、搬入する。これにより、間伐材２は各袋ユニットを滑落し、搬出部１３まで搬出される。斜面の下方の作業者は、搬出された間伐材２を自動車等まで運び、積み上げる。
間伐材２の回収作業が終了した場合には、本考案の回収装置を分解し、各袋ユニットを折り畳んで、下山する。
【００１２】
上記実施例の連結構成（図３）において、各袋ユニットの袋布２６の端部２６ａにベロクロファスナを設けて更に連結を強固にしてもよい。また、各端部２６ａに折り返し型のベロクロファスナを設け、各ファスナ間を連結用リングにより連結してもよい。
また、斜面の上方まで自動車により移動が可能であれば、自動車に鼓型ローダ（船舶用の巻上げ機：（株）工進製）を搭載し、このローダによりロープを介して近傍に放置されている間伐材２を引き上げるようにしてもよい。
更に、上記鼓型ローダを袋ユニットの支持組立及び分解時に袋ユニットへ張力を付与する手段として利用してもよく、これにより安全に組立作業等を行うことができる。
【００１３】
【考案の効果】
本考案によれば、山の斜面で組み立て及び分解が簡単な構造で、しかも間伐材を滑落させる構造を有する回収装置を提供できるので、熟練していない少数の作業者であっても間伐材を安全かつ作業性よく回収することができ、従って、回収に要する費用も少なくて済む。
【図面の簡単な説明】
【図１】本考案に係る搬入部の平面図である。
【図２】図１のＡ−Ａ線断面で示す袋ユニットの斜視図である。
【図３】本考案に係る袋ユニットの連結構造を示す斜視図である。
【図４】本考案に係る搬出部の斜視図である。
【図５】本考案に係る支持手段の斜視図である。
【図６】本考案に係る回収装置の概念図である。
【図７】間伐材の斜視図である。
【符号の説明】
１１　搬入部
１１ａ　天布
１１ｂ　上部受布
１１ｃ　ロープ
１２Ａ　袋ユニット
２０　搬入口
２１，２５　支持ベルト
２２　連結リング
２３　開口保持部
２４　天布
２８　連結リング
３０　支持ロープ
【図１】
0003099367.tif 000003
【図２】
0003099367.tif 000004
【図３】
0003099367.tif 000005
【図４】
0003099367.tif 000006
【図５】
0003099367.tif 000007
【図６】
0003099367.tif 000008
【図７】
0003099367.tif 000009